(57)【要約】【課題】電子チケット機能を有する携帯端末装置で、列車の乗車券などのチケットを購入したときに、当該チケットに係るサービス提供地（例えば駅）までのルート及びそこまでの移動所要時間を表示すると共に、出発時間に遅れないように報知する。【解決手段】携帯電話機で前記経路情報サービスを始動すると（Ｓ２０１、ＹＥＳ）、次に出発地設定動作が開始する（Ｓ２０２、ＹＥＳ）。この出発地設定動作の開始により現在位置が情報検索され（Ｓ２０３）、続いて現在位置から乗車駅までの経路が検索される（Ｓ２０４）。検索の結果、表示部に現在位置情報、経路、所要時間、発車時刻に間に合うための現在地出発時刻を表示する（Ｓ２０５）。出発時間のアラーム機能を携帯電話機４０にセットし（Ｓ２０６、ＹＥＳ）、アラーム時刻を設定すると（Ｓ２０７）、その時刻で（Ｓ２０８、ＹＥＳ）、アラーム報知を行う（Ｓ２０９）。【選択図】           図５
2007272434.tif 000002
【特許請求の範囲】
【請求項１】
電子チケット情報を記憶する記憶手段と、記憶した電子チケット情報から該電子チケットに係るサービスの提供地情報を取得する手段と、現在地情報又は現在地情報と地図情報を取得する手段と、取得したサービス提供地情報、現在地情報および地図情報とから、現在地から前記サービス提供地までのルートおよび該ルートによる移動所要時間を演算する手段と、演算したルート及び前記所要時間を表示する手段と、を備えたことを特徴とする電子チケット機能を備えた携帯端末装置。
【請求項２】
請求項１に記載された電子チケット機能を備えた携帯端末装置において、
時計手段と、前記電子チケット情報からサービス開始時刻情報を取得する手段と、遅延防止のための報知手段を有し、
時計手段で計時した現在時刻が、前記サービス開始時刻から前記移動所要時間に所定時間を加えた時間だけ前の時刻に一致したとき、前記報知手段が遅刻防止のための報知を行うことを特徴とする電子チケット機能を備えた携帯端末装置。
【請求項３】
請求項１又は２に記載された電子チケット機能を備えた携帯端末装置において、
前記報知手段は、振動、光、音又は表示画像により報知を行う手段であることを特徴とする電子チケット機能を備えた携帯端末装置。
【請求項４】
請求項１ないし３のいずれかに記載された電子チケット機能を備えた携帯端末装置において、
現在地情報はＧＰＳ受信部から取得し、かつ地図情報は現在地情報に基づき抽出された地図情報であり、かつ前記地図情報は自身の記憶手段又は通信手段で接続された外部装置の記憶手段に記憶されていることを特徴とする電子チケット機能を備えた携帯端末装置。
【発明の詳細な説明】
【技術分野】
【０００１】
本発明は、チケット発行システム及び同チケット発行システムで電子チケットとして使用する携帯端末装置に関する。
【背景技術】
【０００２】
鉄道などの乗車券や興業の入場券等の「チケット」は、基本的には紙などでできた台紙にそのサービスに関する情報（提供日時、サービスの内容等）が印刷されるか又は印刷と共に磁気記録されている。
これに対して、近年、携帯電話機やＰＤＡ（Personal Digital Assistant）などのような通信機能、画像データ記憶機能、画像表示機能を備えた携帯端末装置が普及するにつれて、従来の紙などでできた「チケット」に記載又は記録された情報をこれら携帯端末装置に記憶させて、これを例えば駅の改札装置等に設けた読み取り装置で読み取ることで、従来のチケットと同様のサービスを提供する電子チケット発行システムが提案されている（特許文献１参照）。
【０００３】
この電子チケット発行システムは、一般的なインターネットウェッブサーバ装置としてのハードウェア構成及びソフトウェア構成を有するコンピュータからなる一台のウェッブサーバ装置と、このウェッブサーバ装置に対してインターネット及び通信事業者システムを介して接続可能な複数台の携帯情報端末（携帯電話機やＰＤＡ）とから構成されており、ウェッブサーバ装置のハードディスクには、チケットサーバプログラムがインストールされているとともに、顧客情報データベース及びチケット情報データベースが格納されている。
【０００４】
顧客情報データベースには、利用者についての情報（住所，氏名等）と、各利用者に対するチケット発行情報（発行されたチケットを特定するための情報等）が、登録されており、チケット情報データベースには、発行対象チケット毎に、そのタイプ，期限切れ日時等をディスプレイ上に画面を表示させるための画像データ等からなるレコードが登録されている。
チケットサーバプログラムは、各携帯情報端末からのチケット発行要求を受信すると、要求されたチケットに関してチケット情報データベースに登録されている内容に沿って、電子チケットを発行して要求元携帯情報端末装置へ送信するようになっており、ネットワークを介してサーバ装置から送信されてきたデータに基づいて、ディスプレイ及び処理装置を含む携帯情報端末における当該ディスプレイ上にチケットの券面の画像を表示する電子チケット表示する。
【０００５】
前記データは、少なくともチケットの利用期間を示す利用期限データ，前記利用期間内と前記利用期間外とでそれぞれ異なる画面を表示するための複数の画面データを含み，前記携帯情報端末の処理装置に対して、処理時点の日時を表す日時情報を取得させ、取得した日時情報と前記利用期限データとに基づいて処理時点がチケットの利用期間内であるか否かを識別させ、識別結果に対応する画像を前記ディスプレイに表示させるようにしている。
【０００６】
即ち、このシステムでは、印刷物としてディスプレイに表示させるための画像データをサービス会社と例えば鉄道会社のサーバ装置から利用者の携帯電話機等の携帯端末装置へ送信し、その後に、サービス施設において、この画像データを利用者自らの携帯端末装置に表示させ、その表示画面を提示するか、或いは改札装置等の読み取り装置により読み取らせることで従来のチケットの代わりに用いることができると共に、チケットが利用期限を過ぎているかどうか等を判断して、利用期間が過ぎていたり或いは利用期限が迫っていれる場合はその旨を表示するようになっている。
【０００７】
この電子チケットシステムでは、購入した電子チケットの利用期限が切れたり、或いは利用期限が近づいていることを表示する等の付加機能を備えたことで、従来のチケットに比してその利便性が向上している。
しかし、実際にチケットを利用する場合に必要な情報は、これに限らず、例えばそのチケットに係るサービスを受けるためには、そのサービス提供地に出向くことが必要であり、チケットの所持者にとっては例えば、その地までのルート情報や所要時間情報が提供されれば電子チケットの利便性は一層向上する。
【０００８】
上記従来の電子チケットシステムでは、チケットの利用期間が近づいたときにこれを表示機能を有するが、電子チケットつまり携帯端末装置の所持者が現在地からサービスの提供地例えば列車の乗車駅まで行くのに要する時間はまちまちであるから、上記電子システムのように一律に利用期間（乗車時間）が近づいていることを表示してもそれだけでは十分ではない。つまり、上記従来の電子チケットシステムでは、上記のような情報の提供は不可能であり、その点では従来の紙等に印刷されたり或いは磁気記録されたチケットと何ら変わらない。
【０００９】
ところで、現在では、現在地から目的地までのルートや所要時間情報は携帯電話機やパソコンに組み込まれたソフトウエアにより、或いはインターネットなどのネットワークを通じて取得することができる。しかし、携帯電話機などの携帯端末装置でルート検索等を行う操作は煩雑であり、また折角ルート情報等を取得しても、その後うっかり忘れて列車等に乗り遅れるということも生じる。
【特許文献１】特開２００３−２８１３０６号公報
【発明の開示】
【発明が解決しようとする課題】
【００１０】
本発明は、従来の電子チケット機能を備えた携帯端末装置を用いて、現在地から電子チケットに係るサービスを受けるためのサービス提供地までのルート及び所要時間を表示すると共に、当該時間に基づきサービスの開始の所定時間前に利用者にその旨報知できるようにすることである。
【課題を解決するための手段】
【００１１】
請求項１の発明は電子チケット機能を備えた携帯端末装置であって、電子チケット情報を記憶する記憶手段と、記憶した電子チケット情報から該電子チケットに係るサービスの提供地情報を取得する手段と、現在地情報又は現在地情報と地図情報を取得する手段と、取得したサービス提供地情報、現在地情報および地図情報とから、現在地から前記サービス提供地までのルートおよび該ルートによる移動所要時間を演算する手段と、演算したルート及び前記所要時間を表示する手段と、を備えたことを特徴とする。
請求項２の発明は、請求項１に記載された電子チケット機能を備えた携帯端末装置において、時計手段と、前記電子チケット情報からサービス開始時刻情報を取得する手段と、遅延防止のための報知手段を有し、
時計手段で計時した現在時刻が、前記サービス開始時刻から前記移動所要時間に所定時間を加えた時間だけ前の時刻に一致したとき、前記報知手段が遅刻防止のための報知を行うことを特徴とする。
請求項３の発明は、請求項１又は２に記載された電子チケット機能を備えた携帯端末装置において、前記報知手段は、振動、光、音又は表示画像により報知を行う手段であることを特徴とする。
請求項４の発明は、請求項１ないし３のいずれかに記載された電子チケット機能を備えた携帯端末装置において、現在地情報はＧＰＳ受信部から取得し、かつ地図情報は現在地情報に基づき抽出された地図情報であり、かつ前記地図情報は自身の記憶手段又は通信手段で接続された外部装置の記憶手段に記憶されていることを特徴とする。
なお、「現在地」は、現実の居場所のみではなく出発地であってもよい。
【発明の効果】
【００１２】
本発明によれば、電子チケットを購入した場合、その電子チケットのサービスを受けるための場所までのルート情報及び所要時間が自動的に取得できるため、利用者は現在地をいつ出発したらよいか容易に知ることができる。また、利用者は遅刻する前に報知を受けることができるため、うっかり出発時間に間に合わなくなることが防止できる。
【発明を実施するための最良の形態】
【００１３】
本発明の１実施形態について図面を参照して説明する。
図１は、本実施形態に係る携帯電話装置を用いるチケット発行システムをブロックで示す概略構成図である。
図示のように、本チケット発行システムは、例えば鉄道会社や興業会社などのサービス提供するためのチケット発行用サーバ１０と、これらサービス提供元と有線電話回線網やインターネットなどの商用ネットワーク２０と、基地局３０と、この基地局３０に無線接続される携帯端末装置である携帯電話機４０とからなっている。
【００１４】
図２は、例えば、交通機関などのチケット発行サーバ１０の構成を概略的に示すブロック図である。
チケット発行サーバ１０は、図示のように前記サーバ１０全体の動作を制御するＣＰＵ１１、ＣＰＵ１１の動作プログラム等を格納したＲＯＭ１２、ＣＰＵ１１による処理のために一時的にデータを保存しておくＲＡＭ１３、利用者情報１４１、チケット発行情報１４２等を保存しておく記憶部１４と、ネットワーク等に接続した基地局などを介して携帯端末装置４０と通信を行う通信部１５とからなっている。
利用者情報１４１には、利用者を識別する氏名等の情報に加え、発行したチケットの決済のための例えば銀行口座番号等が含まれる。また、チケット発行情報１４２には、発行したチケットの種類、例えば鉄道であれば普通乗車券やグリーン乗車券、利用日時、枚数、経路情報、料金等が含まれる。
【００１５】
図３は、本発明の携帯端末装置の１実施形態に係る携帯電話機の構成を示すブロック図である。
携帯電話機４０は、その全体を制御するＣＰＵ４１と、ＣＰＵ４１に接続され携帯電話機４０の動作プログラム等を格納したＲＯＭ４２と、ＣＰＵ４１の動作のためのデータを一時的に保存するためのＲＡＭ４３、通信部４４、アンテナ４５、ＧＰＳ（Global Positioning System）信号入力部４６、ＬＣＤなどによる表示部４７、マイクロフォンＭＣ及びスピーカＳＰを備えた音声入出力部４８、所持者の識別情報や、チケット発行サーバ１０から取り込んだチケット情報等を保存しておく記憶部４９とからなっている。携帯電話機４０は、ネットワーク２０を介して地図情報を取得するが、地図情報を自身の記憶部４９に格納しておくこともできる。
【００１６】
以上の構成において、
図４は、本実施形態のチケット発行システムを用いて列車の指定券を発券する場合のチケット発行処理動作を説明するフロー図である。
図４において、利用者は、携帯電話機４０を操作して前記ネットワーク２０を介して交通機関のチケット発行サーバ１０にアクセスして、チケット、例えば、乗車日時と経路を指定して乗車券の照会を行う（Ｓ１０１）。
チケット発行サーバ１０は、利用者を同定して、登録済み利用者と一致したときは（Ｓ１０２、ＹＥＳ）、記憶部１４から関連するチケット発行情報（例えば、経路、利用日時、列車名、座席情報（窓側か廊下側か、一般席かグリーン席か、喫煙車両か禁煙車両か、空席情報等）を読み出して照会情報を作成して（Ｓ１０３）、当該携帯電話機４０に送信する。
利用者は、携帯電話機４０の照会画面から列車の乗車券の発行状態をみて、乗車券を指定する（Ｓ１０４）。チケット発行サーバ１０は、受信した指定乗車券情報に基づき乗車券を発行し、同時に自身のチケット発行情報として登録する（Ｓ１０５）。発行した乗車券情報を前記ネットワーク２０を介して発注者の携帯電話機４０に送信し、携帯電話機４０は受信したチケット情報を記憶部４８の所定の領域に記憶すると共に表示部４９に表示し（Ｓ１０６）、処理を終了する。
【００１７】
図５は、携帯電話機側の機能を説明するためのフロー図である。
次に、自動又は携帯電話機４０の操作ボタン等を操作して、当該乗車券の乗車駅までの経路表示を要求し、携帯電話機４０の前記経路情報サービスを始動すると（Ｓ２０１）、次に出発地設定動作が開始する（Ｓ２０２、ＹＥＳ）。この出発地設定動作の開始により現在地の情報検索のルーチンが実行され（Ｓ２０３）、続いて現在地から乗車駅までの経路検索ルーチンが実行される（Ｓ２０４）。経路検索の結果として、現在地情報、経路、所要時間、発車時刻に間に合うための現在地出発時刻を表示する（Ｓ２０５）。
ここで出発時間のアラーム機能を、携帯電話機４０にセットし（Ｓ２０６ＹＥＳ）、アラーム時刻（即ち出発時刻の所定時間前）を設定する（Ｓ２０７）。携帯電話機４０は、アラーム時刻になると（Ｓ２０８、ＹＥＳ）、アラーム報知を行い（Ｓ２０９）、処理を終了する。
【００１８】
位置情報検索のルーチンでは、ＣＰＵ４１は、現在位置情報の要求に基づきネットワーク２０を介して、地図情報とＧＰＳ情報から現在位置情報を取得し、経路検索ルーチンでは、取得した現在位置情報と、地図情報に基づき現在地から乗車駅までのルートを演算して表示する。
ここで、ルートは、例えば最短ルート或いは最短所要時間ルートのように、予め選択基準を定めておくこともできるが、複数表示してその中から利用者が選択するようにしてもよい。いずれにしても、ＣＰＵ４１は選択されたルートに従って移動のための所要時間を計算する。
この移動のための所要時間は、例えば、ルート上に徒歩以外の交通機関が存在しない場合は、徒歩での所要時間を計算し（信号の待ち時間等遅延要因が事前に分かる場合は、これらの時間も考慮される）、ルート上に他の交通機関が存在する場合は、それらの時刻表を例えばネットワーク２０を介して適宜取り込み、時刻表に従った所要時間に徒歩による所要時間を加算して得る。
【００１９】
この所要時間情報は、ルートと共に携帯電話機４０の表示装置４９に表示されるとともに前記憶部４８に記憶される。ＣＰＵ４１は自身のタイマー機能により得た現時刻情報と、乗車券情報中の発車時間に前記ルートに沿った移動所要時間とを対比し、その差が所定の時間内になったとき警報を発生する。
この警報が発生すると携帯電話機から音声、振動等を発生してその所持者に出発の時間が近づいたことを知らせる。また、同時に表示画面に「○○駅に出発の時間です」等の表示を行う。
【００２０】
本願発明では、以上のように、チケット購入から当該チケットのサービス提供地までのルート及び所要時間情報を提示できるようにして、電子チケット機能を有する携帯端末装置の利便性を向上させた。
【図面の簡単な説明】
【００２１】
【図１】本実施形態に係る携帯電話装置を用いるチケット発行システムをブロックで示す概略構成図である。
【図２】例えば、交通機関などのチケット発行サーバ１０の構成を概略的に示すブロック図である。
【図３】携帯端末装置の１実施形態に係る携帯電話機の構成を示すブロック図である。
【図４】本実施形態のチケット発行システムを用いて列車の指定券を発券する場合のチケット発行処理動作を説明するフロー図である。
【図５】携帯電話機側の機能を説明するためのフロー図である。
【符号の説明】
【００２２】
１０・・・チケット発行サーバ、１４・・・記憶部、２０・・・ネットワーク、３０・・・基地局、４０・・・携帯電話機。
【図１】
2007272434.tif 000003
【図２】
2007272434.tif 000004
【図３】
2007272434.tif 000005
【図４】
2007272434.tif 000006
【図５】
2007272434.tif 000007